(57)【要約】【課題】ゴミを収納したビニール等のゴミ収納袋を、カラスや犬猫が外部からつついたり咬むことができないように収納し、ゴミ収納袋を収納してゴミ収集場所に出すことにより、生ゴミを周囲に撒き散らしてゴミ収集場所を汚損するという事態の発生をなくすことができる鳥獣防護用の折り畳み式ゴミ収納器を提供する。【解決手段】金属線材を用いたベース枠２の上面側に、同じく金属線材を用いて略Ｕ字状に形成された複数の骨子３乃至６を起伏回動可能となるよう枢着して骨組みを形成し、前記ベース枠２に底網体８を張設すると共に、ベース枠２と一端側に位置する骨子３間及び各骨子３乃至６間の周囲に沿って網体９を、各骨子３乃至６を所定角度の配置にした状態でベース枠２の上部を覆うことができるように張設し、前記ベース枠２の一端側とベース枠の他端側に伏倒させることのできる骨子６の間に、このベース枠２の底網体８上に載せたゴミ収納袋の弾性押さえ部材１１を設ける。【選択図】図１
2006036459.tif 000002
【特許請求の範囲】
【請求項１】
金属線材を用いたベース枠の上面側に、同じく金属線材を用いて略Ｕ字状に形成された複数の骨子を起伏回動可能となるよう枢着して骨組みを形成し、前記ベース枠に底網体を張設すると共に、ベース枠と一端側に位置する骨子の間及び各骨子間の周囲に沿って網体を、各骨子を所定角度の配置にした状態でベース枠の上部を覆うことができるように張設し、前記ベース枠と他端側に位置する骨子の一方に、ベース枠上に倒した骨子を止めるための係止フックを取付け、前記ベース枠の一端側とベース枠の他端側に伏倒させることのできる骨子の間に、このベース枠の底網体上に載せたゴミ収納袋の弾性押さえ部材を設けた鳥獣防護用の折り畳み式ゴミ収納器。
【請求項２】
上記弾性押さえ部材が、ベース枠の一端側とベース枠の他端側に伏倒させることのできる骨子にそれぞれ取付けた一対の紐条と、この両紐条に両端を取付けたゴム帯とで形成されている請求項１記載の鳥獣防護用の折り畳み式ゴミ収納器。
【発明の詳細な説明】
【技術分野】
【０００１】
この発明は、家庭等で発生した生ゴミを含むゴミを、ゴミ収納袋に入れた状態でゴミ収集場所において置く場合に使用する鳥獣防護用の折り畳み式ゴミ収納器に関する。
【背景技術】
【０００２】
家庭等で発生した生ゴミを含むゴミの一般的な処理は、ゴミをビニール等のゴミ収納袋に入れ、これをゴミ収集日の収集時間までに、予め指定されたゴミ収集場所に運んで置き、ゴミ収集業者がこれを回収していくものであり、ゴミ収集場所としては、集合住宅の場合、敷地内の適当なスペースに集積所や集積容器が設置され、戸建て住宅や商店のような場合は、街路の適当な場所が指定されている。
【発明の開示】
【発明が解決しようとする課題】
【０００３】
ところで、生ゴミを含むゴミをビニール等のゴミ収納袋に入れ、これをゴミ収集場所に放置すると、生ゴミの存在を察知した鳥獣、例えば、カラスや犬猫が集まり、ゴミ収納袋をつついたり咬むことによって破り、内部の生ゴミを取り出して食することになり、このため、生ゴミを周囲に撒き散らしてゴミ収集場所を汚損するという事態が発生し、非衛生であるため、ゴミ回収後にゴミ収集場所を掃除しなければならず、手間がかかるという問題がある。
【０００４】
そこで、この発明の課題は、生ゴミを含むゴミを収納したビニール等のゴミ収納袋を簡単な操作で出し入れ自在とし、カラスや犬猫が外部からつついたり咬むことができないようにゴミ収納袋を収納することができ、ゴミ収納袋を収納してゴミ収集場所に出すことにより、生ゴミを周囲に撒き散らしてゴミ収集場所を汚損するという事態の発生をなくし、ゴミ回収後にゴミ収集場所を掃除するという手間を省くことができる鳥獣防護用の折り畳み式ゴミ収納器を提供することにある。
【課題を解決するための手段】
【０００５】
上記のような課題を解決するため、この発明は、金属線材を用いたベース枠の上面側に、同じく金属線材を用いて略Ｕ字状に形成された複数の骨子を起伏回動可能となるよう枢着して骨組みを形成し、前記ベース枠に底網体を張設すると共に、ベース枠と一端側に位置する骨子の間及び各骨子間の周囲に沿って網体を、各骨子を所定角度の配置にした状態でベース枠の上部を覆うことができるように張設し、前記ベース枠と他端側に位置する骨子の一方に、ベース枠上に倒した骨子を止めるための係止フックを取付け、前記ベース枠の一端側とベース枠の他端側に伏倒させることのできる骨子の間に、このベース枠の底網体上に載せたゴミ収納袋の弾性押さえ部材を設けた構成を採用したものである。
【０００６】
上記弾性押さえ部材が、ベース枠の一端側とベース枠の他端側に伏倒させることのできる骨子にそれぞれ取付けた一対の紐条と、この両紐条に両端を取付けたゴム帯とで形成されている構造とすることができる。
【０００７】
ここで、ベース枠は矩形状や長円形に形成され、骨子は第１乃至第４の骨子からなり、第１と第３の骨子は長く、第２と第４の骨子はそれよりも短く形成され、各骨子のベース枠に対する枢着は、各骨子の両端に屈曲形成した円弧状部をベース枠の中棧に外嵌して取付けることによって行われ、また、係止フックは、金属線材を用い、一端側に屈曲形成した円弧状部をベース枠に回転可能に取付け、他端側に設けた屈曲部を第４の骨子に対して係脱させることができる構造になっている。
【発明の効果】
【０００８】
この発明によると、ベース枠の上面側に複数の骨子を起伏回動可能となるよう枢着して骨組みを形成し、前記ベース枠に底網体を張設すると共に、ベース枠と一端側に位置する骨子の間及び各骨子間の周囲に沿って網体を、各骨子を所定角度の配置にした状態でベース枠の上部を覆うことができるように張設し、前記ベース枠と他端側に位置する骨子の一方に、ベース枠上に倒した骨子を止めるための係止フックを取付けたので、骨子に張設した網体は、骨子の回動により、ベース枠の上部を覆う状態と開放する状態に変化させることができ、ベース枠の底網体上に対してゴミ収納袋を簡単な操作で出し入れすることができ、底網体とこれを覆う網体の内部空間にゴミ収納袋を収めれば、展張した網体で覆うことにより、カラスや犬猫が外部からつついたり咬むことができないようにゴミ収納袋を収納することができ、ゴミ収納袋を収納してゴミ収集場所に出すことにより、生ゴミを周囲に撒き散らしてゴミ収集場所を汚損するという事態の発生をなくし、ゴミ回収後にゴミ収集場所を掃除しなければならないという手間を省くことができる。
【０００９】
また、ベース枠の弾性押さえ部材で底網体上に載せたゴミ収納袋を押さえるようにしたので、ゴミ収納袋を押さえ込むことで周囲網体との間に空間を確保し、かつ、ゴミ収納器内でのゴミ収納袋の移動発生を防ぐことで、ゴミ収納器を傾ける等しても、ゴミ収納袋が周囲網体に近づくことがなく、カラスや犬猫が外部からゴミ収納袋をつついたり咬むことができないようにできる。
【発明を実施するための最良の形態】
【００１０】
以下、この発明の実施の形態を図示例に基づいて説明する。
【００１１】
図示のように、鳥獣防護用の折り畳み式ゴミ収納器１は、亜鉛等のメッキや樹脂皮膜によって防錆処理を施した金属線材を用いて矩形状に形成したベース枠２の上面側に、同じく防錆処理を施した金属線材を用い、前記ベース枠２の略半分のコ字状に折り曲げ形成された第１乃至第４の骨子３乃至６を、ベース枠２の中央位置に設けた中棧７に起伏回動可能となるよう枢着して骨組みが組み立てられている。
【００１２】
上記ベース枠２に底網体８を張設すると共に、ベース枠２と一端側に位置する第１骨子３の間及び各第１乃至第４の骨子３乃至６間の周囲に沿って網体９を、各骨子３乃至６を所定角度の配置にした状態でベース枠２の上部を覆うことができるように張設し、ベース枠２他端側で両側の位置に、ベース枠２上に倒した第４の骨子６をベース枠２に対して止めるための係止フック１０を取付け、前記ベース枠２の一端側とベース枠２の他端側に伏倒させることのできる第４の骨子６の間に、このベース枠２の底網体８上に載せたゴミ収納袋Ａの弾性押さえ部材１１が設けられている。
【００１３】
ここで、第１と第３の骨子３と５は長く、第２と第４の骨子４と６はそれよりも短く形成され、長い第１と第３の骨子３と５は、網体９を開いたとき、ベース枠２の長さ方向に沿って相反する斜め向きとなり、短い第２の骨子４は中央で直立し、第４の骨子６は水平に伏倒してベース枠２上に重なり、これにより、底網体８と各骨子３乃至６の周囲に沿って設けた網体９は角形の箱状に保形される。
【００１４】
上記第１乃至第４の骨子３乃至６のベース枠２に対する枢着は、各骨子３乃至６の両端に屈曲形成した円弧状部１２を中棧７に外嵌して取付けることによって行われ、また、係止フック１０は、ステンレスのような金属線材を用い、一端側に屈曲形成した円弧状部をベース枠２に回転可能に取付け、他端側に設けた屈曲部を第４の骨子６に対して係脱させることができる構造になっている。
【００１５】
上記弾性押さえ部材１１は、ベース枠２の一端側とベース枠２の他端側に伏倒させることのできる第４の骨子６にそれぞれ取付けた一対の紐条１３と、この両紐条１３に両端を取付けたゴム帯１４とで形成されている。
【００１６】
なお、ベース枠２に張設した底網体８と、第１乃至第４の骨子３乃至６の外側に張設した網体９は、カラスや犬猫が破壊できない程度の強度を有する材質を用い、また、骨組みはベース枠２が長円状で第１乃至第４の骨子３乃至６が半円状となる形状であってもよい。
【００１７】
この発明の折り畳み式ゴミ収納器１は、上記のような構成であり、使用しないときは、図３と図４のように、第１乃至第４の骨子３乃至６をその間に網体９が収まるようにベース枠２上の片側に折り畳み、全体を薄い扁平状とすることにより、嵩張らないようになっている。
【００１８】
また、合成樹脂のゴミ収納袋Ａに入れたゴミをゴミ収集場所やゴミ置場に出す場合は、ベース枠２に張設した底網体８の上にゴミ収納袋Ａを置いて、第４の骨子６を引き起こすようにすると、網体９を介して第３と第２及び第１の骨子５、４、３が順に引き起され、第４の骨子６をベース枠２上の他方側に重ね、ベース枠２に取付けた係止フック１０を第４の骨子６に係止すれば、図１と図２のように第４の骨子６がベース枠２に固定されることで網体９はベース枠２の上部を覆うような展張状態となり、ゴミ収納袋Ａは折り畳み式ゴミ収納器１内に納まり、周囲が網体９で覆われることになる。
【００１９】
上記第４の骨子６を引き起こしたとき、この第４の骨子６の先端側に紐体１３を介して連結したゴム帯１４が引き出され、ゴム帯１４は底網体８の上にあるゴミ収納袋Ａを上から押さえるようにして伸び、第４の骨子６をベース枠２上の他方側に重ねて係止フック１０を第４の骨子６に係止すると、図２のように、ゴム帯１４は、第４の骨子６の先端とベース枠２上の一端側との間で緊張し、ゴミ収納袋Ａを底網体８に押圧固定する。
【００２０】
このように、底網体８とこれを覆う網体９の内部空間にゴミ収納袋Ａを収めれば、カラスや犬猫が外部からつついたり咬むことができないようにゴミ収納袋Ａを収納することができ、ゴミ収納袋Ａを収納してゴミ収集場所に出すことにより、生ゴミを周囲に撒き散らしてゴミ収集場所を汚損するという事態の発生をなくし、ゴミ回収後にゴミ収集場所を掃除しなければならないという手間を省くことができる。
【００２１】
また、弾性押さえ部材１１で底網体８上に載せたゴミ収納袋Ａを押さえるようにしたので、ゴミ収納袋Ａを押さえ込むことで周囲網体９との間に空間を確保し、かつ、ゴミ収納器１内でのゴミ収納袋Ａの移動発生を防ぐことで、ゴミ収納器１を傾ける等しても、ゴミ収納袋Ａが周囲網体９に近づくことがなく、カラスや犬猫が外部からゴミ収納袋Ａをつついたり咬むことができないようにできる。
【００２２】
ゴミ回収業者は、折り畳み式ゴミ収納器１の係止フック１０を外し、第４の骨子６を開いて内部からゴミ収納袋Ａだけを取り出して回収し、折り畳み式ゴミ収納器１を残すことで、各人が自分の折り畳み式ゴミ収納器１を取りに行けばよい。
【図面の簡単な説明】
【００２３】
【図１】この発明に係る折り畳み式ゴミ収納器の使用状態時の形状を示す斜視図
【図２】同じく使用状態の縦断正面図
【図３】この発明に係る折り畳み式ゴミ収納器の折畳み状態時の形状を示す斜視図
【図４】同じく折り畳み式ゴミ収納器の折畳み状態を示す拡大断面図
【符号の説明】
【００２４】
１      折り畳み式ゴミ収納器
２      ベース枠
３      第１の骨子
４      第２の骨子
５      第３の骨子
６      第４の骨子
７      中棧
８      底網体
９      網体
１０    係止フック
１１    弾性押さえ部材
１２    円弧状部
１３    紐条
１４    ゴム帯
【図１】
2006036459.tif 000003
【図２】
2006036459.tif 000004
【図３】
2006036459.tif 000005
【図４】
2006036459.tif 000006